(57)【要約】【課題】  回転カッター及び保護カバーの進行側の外周部を安定して地面から浮き上がらせることにより、未熟練者であっても刈払い作業が容易に行なえる刈払機を得る。【解決手段】モーターが装備された竿（１）の先端部に、外周部に多数の刃（７）を有する回転カッター（６）を設け、該回転カッター（６）の下面側に非回転の保護カバー（１１）を対面させるとともに、該保護カバー（１１）の外周部に前記回転カッター（６）の刃（７）と対面する固定歯（１２）を設けてなる刈払機において、前記保護カバー（１１）の外周部であってかつ前記固定歯（１２）の直軸心側に、下方に向かって緩傾斜で突出する接地突起（１３）を設ける。前記接地突起（１３）は保護カバー（１１）の基板（１１ａ）を局部的に下方湾曲させて形成する。【選択図】  図１
2008182919.tif 000002
【特許請求の範囲】
【請求項１】
モーターが装備された竿（１）の先端部に、外周部に多数の刃（７）を有する回転カッター（６）を設け、該回転カッター（６）の下面側に非回転の保護カバー（１１）を対面させるとともに、該保護カバー（１１）の外周部に前記回転カッター（６）の刃（７）と対面する固定歯（１２）を設けてなる刈払機において、前記保護カバー（１１）の外周部であってかつ前記固定歯（１２）の直軸心側に、下方に向かって緩傾斜で突出する接地突起（１３）を設けたことを特徴とする刈払機。
【請求項２】
接地突起（１３）は、保護カバー（１１）の基板（１１ａ）を局部的に下方湾曲させて形成したことを特徴とする請求項１記載の刈払機。
【請求項３】
回転カッター（６）又は保護カバー（１１）の外周部に、回転カッター（６）の刃（７）と保護カバー（１１）の固定歯（１２）との間隔を規定値に保持するスペーサー突起（８）を円周方向に所定ピッチで設けたことを特徴とする請求項１又は２記載の刈払機。
【発明の詳細な説明】
【技術分野】
【０００１】
本発明は、モーター（エンジン）及び棒状のハンドルを有する竿の先端部に回転カッターを取り付け、該回転カッターをモーターで回転させながら、竿を操作して雑草類を刈り取る刈払機に関するものである。
【背景技術】
【０００２】
従来の刈払機は以下のようになっていた。即ち、エンジン及び棒状のハンドルを有する竿の先端部に、エンジンによって回転される回転カッターと、竿側に係止されて非回転となる円板状の保護カバーとを上下に重ね合わせ、保護カバーは、中心部が下方に突出する皿状に形成するとともに、外周部を回転カッターの外周部に接近させ、該外周部に前記回転カッターの刃と対面する固定歯を形成してなるものであった。
【０００３】
前記従来のものは、保護カバーの中心部が地面に接触することによって固定歯及び回転刃が地面から所定量浮き上がり、保護カバーの外周部に形成した固定歯で小径の雑草類を捕捉するとともに、径の大きい小石等を排斥し、固定歯で捕捉した雑草類を回転カッターで切断するようにしていた。
【０００４】
しかしながら、前記従来のものは、保護カバーの中心部を下方に突出させて外周部の固定歯を地面から浮き上がらせるようにしていたため、該保護カバーがその中心部を中心として地面に対して傾斜し易く、該傾斜角度が大きくなると、下方に向いた進行側の固定歯が地面に食い込んだり、小石に衝突したりして地面に沿う進行が妨げられることになる。このため、地面に対する保護カバーの傾斜角度（回転カッターの傾斜角度）を調節しながら刈り取る必要があり、刈払い作業に熟練を要するとともに、作業者への負担が大きくなる。
【特許文献１】特開２００６−１９７９００号公報
【発明の開示】
【発明が解決しようとする課題】
【０００５】
本発明は、回転カッター及び保護カバーの進行側の外周部を安定して地面から浮き上がらせることにより、未熟練者であっても刈払い作業が容易に行なえる新規な刈払機を得ることを目的とする。
【課題を解決するための手段】
【０００６】
本発明は、前記目的を達成するために以下の如く構成したものである。即ち、請求項１に係る発明は、モーターが装備された竿の先端部に、外周部に多数の刃を有する回転カッターを設け、該回転カッターの下面側に非回転の保護カバーを対面させるとともに、該保護カバーの外周部に前記回転カッターの刃と対面する固定歯を設けてなる刈払機において、前記保護カバーの外周部であってかつ前記固定歯の直軸心側に、下方に向かって緩傾斜で突出する接地突起を設ける構成にしたものである。
請求項２に係る発明は、前記接地突起を、保護カバーの基板を局部的に下方湾曲させて形成したものである。
請求項３に係る発明は、前記回転カッター又は保護カバーの外周部に、回転カッターの刃と保護カバーの固定歯との間隔を規定値に保持するスペーサー突起を円周方向に所定ピッチで設けたものである。
【発明の効果】
【０００７】
請求項１に係る発明は、接地突起が保護カバーの外周部に存在するので、保護カバーが地面に対して傾斜すると、下方に向いた進行側の接地突起が地面に接触し、進行側の固定歯が地面から浮き上がって地面に食い込まなくなる。このため、地面に対する保護カバーの傾斜角度（回転カッターの傾斜角度）に気を取られることなく刈払い作業が行なえることになり、未熟練者であっても刈払い作業が容易に行なえることになる。
請求項２に係る発明は、前記接地突起を、保護カバーの基板を湾曲させて形成したので、該接地突起を容易にかつ安価に得ることができる。
請求項３に係る発明は、スペーサー突起が回転カッターの刃及び保護カバーの固定歯に接近するので、両刃に大きな負荷及び衝撃が加わっても、前記スペーサー突起が両刃の間隔を確実に保持し、両刃の衝突による損傷を防止することができる。
【発明を実施するための最良の形態】
【０００８】
以下本発明の実施例を図面に基いて説明する。図面において、図１は本発明の実施例を示す刈払機のカッターヘッド部の断面側面図、図２は保護カバーの平面図、図３は図２のIII-III断面図、図４は回転カッターの平面図、図５は図４のV-V断面図である。
【０００９】
図１において、１は刈払機の竿であり、上部にモーター（エンジン）及びバーハンドルが取り付けられている。２は前記竿１の先端部に取り付けたカッターヘッドである。該カッターヘッド２は以下の如くなっている。即ち、前記竿１の先端部にギヤケース３を取り付け、該ギヤケース３に筒状の回転軸４を上下に配置してベアリング５により回転自在に支持し、該回転軸４の下端部に上部取付けフランジ４ａを介して直径約２３０ｍｍの回転カッター６を一体的に連結する。４ｂは回転カッター６を上部取付けフランジ４ａに固定する固定ねじである。
【００１０】
前記回転カッター６は、図４、図５に示すように、厚さ約１．３ｍｍの鋼板からなる円板状の回転板６ａの外周に１２個の鋸歯状の刃台６ｂを円周方向に等ピッチで形成し、各刃台６ｂの回転前部側に超硬チップ製の刃７を固着し、また、回転板６ａの外周部に下方に突出する小径のスペーサー突起８を円周方向に１２個等ピッチで形成してなる。前記スペーサー突起８は、各刃７の直内方に位置する回転板６ａの肉部を局部的に下方に凹ませて形成してなり、前記回転カッター６の刃７と後述する保護カバー１１の固定歯１２との間隔を規定値に保持するものである。
【００１１】
前記回転軸４の軸心部に支持軸１０を挿通するとともに、該支持軸１０の上端部を前記ギヤケース３の上部壁にスプライン嵌合等により回転不能に連結し、該支持軸１０の下端部を前記回転軸４、及び上部取付けフランジ４ａの中心部から下方に突出させ、この突出部に下部取付けフランジ１０ａを介して直径約２３０ｍｍの保護カバー１１を一体的に連結する。１０ｂは保護カバー１１を下部取付けフランジ１０ａに固定する固定ネジである。前記保護カバー１１は、厚さ約１．３ｍｍの鋼板により形成され、図２、図３に示すように、円板状の基板１１ａの外周部に固定歯１２を形成し、該固定歯１２の直内周側に位置する基板１１ａの外周部に下方に突出する接地突起１３を円周方向に５個等ピッチで形成してなる。
【００１２】
前記固定歯１２は、基板の前部（図２において左部）及び左右（図２において上下部）に形成し、各固定歯１２のピッチは回転カッター６の刃７のピッチの約３分の１にするとともに、該固定歯１２の刃丈は回転カッター６の刃７の刃丈と略同じにする。また、基板１１ａの前部側に位置する固定歯１２は鋸歯形の固定歯１２ａとし、基板１１ａの左右に位置する固定歯１２は波形の固定歯１２ｂとする。
【００１３】
前記接地突起１３は、図１、図２に示すように、基板１１ａの外周部の肉部を下方に向けて球面状に湾曲させてなり、その直径は３０ｍｍ〜３５ｍｍ、基板１１ａの下面に対する下方への突出量は５ｍｍ〜８ｍｍとする。なお、前記接地突起１３は基板１１ａとは別体の金属板あるいはプラスチックにより形成するようにしてもよい。
【００１４】
前述したギヤケース３内には、回転軸４に固定した被動傘歯車１５、及び該被動傘歯車１５に噛み合う駆動傘歯車１６が回転自在に支持されている。前記駆動傘歯車１６は竿１内に挿通した駆動軸１７の端部に連結され、該駆動軸１７は竿１の上部に取り付けたモーター（エンジン）に連結され、該モーターによって回転される。なお、前述した回転カッター６、保護カバー１１の各部の寸法及び刃数は、刈り取り物の種類あるいは回転カッターの回転数等によって適宜設定する。
【００１５】
前記実施例によれば、竿１を操作し、カッターヘッド２、従って保護カバー１１を略水平に位置させた状態で地面Ｇに沿って移動させると、進行側の固定歯１２が地面Ｇに生えている雑草類を捕捉し、これを回転カッター６の刃７で切断することになる。このとき、保護カバー１１が地面Ｇに接近し過ぎると、前記保護カバー１１に設けた接地突起１３が地面Ｇに接触して固定歯１２を地面Ｇから浮き上がらせ、該固定歯１２が地面Ｇと接触しなくなる。また、前記保護カバー１１が傾斜した状態で地面Ｇに接近し過ぎると、下方に向いた進行側の接地突起１３が地面Ｇに接触し、進行側の固定歯１２を地面Ｇから浮き上がらせ、該固定歯１２の地面Ｇとの接触及び食い込みを阻止することになる。
【００１６】
このため、作業者は、地面Ｇに対するカッターヘッド２（保護カバー１１）の傾斜角度に気を取られることなく刈払い作業が行なえることになり、未熟練者であっても刈払い作業が容易に行なえることになる。また、回転カッター６の外周部にスペーサー突起８を設けたので、刈取り作業時に回転カッター６及び保護カバー１１の外周部に大きな負荷及び衝撃が加わっても、前記スペーサー突起８が回転カッター６の刃７と保護カバー１１の固定歯１２との間隙を確実に規定値に保持し、両刃の衝突による損傷を防止して刈取り性能を安定させることになる。
【図面の簡単な説明】
【００１７】
【図１】本発明の実施例を示す刈払機のカッターヘッド部の断面側面図である。
【図２】保護カバーの平面図である。
【図３】図２のIII-III断面図である。
【図４】回転カッターの平面図である。
【図５】図４のV-V断面図である。
【符号の説明】
【００１８】
１    刈払機の竿
２    カッターヘッド
３    ギヤケース
４    回転軸
４ａ  上部取付けフランジ
４ｂ  固定ねじ
５    ベアリング
６    回転カッター
６ａ  回転板
６ｂ  刃台
７    刃（チップ）
８    スペーサー突起
１０    支持軸
１０ａ  下部取付けフランジ
１０ｂ  固定ねじ
１１    保護カバー
１１ａ  基板
１２    固定歯
１３    接地突起
１５    被動傘歯車
１６    駆動傘歯車
１７    駆動軸
Ｇ      地面
【図１】
2008182919.tif 000003
【図２】
2008182919.tif 000004
【図３】
2008182919.tif 000005
【図４】
2008182919.tif 000006
【図５】
2008182919.tif 000007